(57)【特許請求の範囲】
【請求項１】
前後に起倒するヒンジ付きの防水扉に先端を連結するロックバーと、該ロックバーの基部を前後にガイドするガイドレールと、該ガイドレールの前端部に配設する偏心カムとを備えてなり、該偏心カムは、前記ロックバーを介して起立状態の防水扉を扉枠に密着させてロックすることを特徴とする防水扉のロック機構。
【請求項２】
前記ロックバーは、前記ガイドレールのガイド孔に沿って転動するローラを有し、前記ガイド孔の前端部には、前記ローラを介して前記ロックバーを前方に斜め上向きにガイドする屈曲部を形成することを特徴とする請求項１記載の防水扉のロック機構。
【請求項３】
前記偏心カムは、前記屈曲部に沿って前記ロックバーを駆動することを特徴とする請求項２記載の防水扉のロック機構。
【請求項４】
前記偏心カムは、手動ハンドルを介して回転駆動することを特徴とする請求項１ないし請求項３のいずれか記載の防水扉のロック機構。
【請求項５】
前記手動ハンドルは、取外し自在であることを特徴とする請求項４記載の防水扉のロック機構。
【請求項６】
前記ロックバーは、長さ調節可能であることを特徴とする請求項１ないし請求項５のいずれか記載の防水扉のロック機構。
【発明の詳細な説明】
【０００１】
【発明の属する技術分野】
この発明は、起倒式の防水扉を起立状態にロックし、良好な水密性を簡単に実現することができる防水扉のロック機構に関する。
【０００２】
【従来の技術】
建築物や駐車場等の出入口などにおいて、水害時の浸水を防止するために設置する起倒式の防水扉には、それを起立状態にロックするロック機構を設けることがある（たとえば実公昭６２−３９１３１号公報）。
【０００３】
従来のロック機構は、ヒンジを介して起倒する防水扉に折畳み可能な屈曲アームを取り付けて構成されており、屈曲アームの基部は、固定ブラケットに回転自在に連結されている。そこで、屈曲アームは、防水扉を倒伏させると、中間部の中間リンクを介して屈曲することにより、防水扉の裏面側に折り畳んで収納することができ、防水扉を起立させると、防水扉の起立動作に従って直線状態となり、防水扉を起立状態にロックすることができる。なお、直線状態の屈曲アームは、下部に遊嵌する筒部材を中間リンクの位置に移動して固定することにより、屈曲を阻止するようになっている。
【０００４】
【発明が解決しようとする課題】
かかる従来技術によるときは、屈曲アームは、筒部材を中間部に移動して固定することにより直線状態に保持するが、このときの筒部材は、屈曲アームとの間に隙間があるために、屈曲アームの多少の屈曲を完全になくすることができず、起立状態の防水扉が倒伏方向に戻ることがあり、防水扉の水密性が不完全になりがちであるという問題があった。また、屈曲アームに沿って筒部材を移動して防水扉をロックし、防水扉を倒伏させるためにそのロックを解除する一連の作業は、作業内容が煩雑であり、操作性がよくないという問題もあった。
【０００５】
そこで、この発明の目的は、かかる従来技術の問題に鑑み、ロックバーと、ガイドレールと、ロックバーを介して防水扉を起立状態にロックする偏心カムとを設けることによって、操作性を改善し、良好な水密性を簡単に実現して維持することができる防水扉のロック機構を提供することにある。
【０００６】
【課題を解決するための手段】
かかる目的を達成するためのこの発明の構成は、前後に起倒するヒンジ付きの防水扉に先端を連結するロックバーと、ロックバーの基部を前後にガイドするガイドレールと、ガイドレールの前端部に配設する偏心カムとを備えてなり、偏心カムは、ロックバーを介して起立状態の防水扉を扉枠に密着させてロックすることをその要旨とする。
【０００７】
なお、ロックバーは、ガイドレールのガイド孔に沿って転動するローラを有し、ガイド孔の前端部には、ローラを介してロックバーを前方に斜め上向きにガイドする屈曲部を形成することができ、偏心カムは、屈曲部に沿ってロックバーを駆動することができる。
【０００８】
また、偏心カムは、手動ハンドルを介して回転駆動してもよく、手動ハンドルは、取外し自在であってもよい。
【０００９】
さらに、ロックバーは、長さ調節可能であってもよい。
【００１０】
【作用】
かかる発明の構成によるときは、ガイドレールは、ヒンジを介して防水扉を起倒させるとき、ロックバーの基部を前後にガイドし、偏心カムは、防水扉が起立状態のとき、ガイドレールの前端部においてロックバーの基部を移動不能に拘束し、ロックバーを介して防水扉を起立状態にロックすることができる。すなわち、防水扉は、偏心カムを回転駆動することにより、一挙動によって良好な水密性を実現し、それを維持することができる。
【００１１】
ガイドレールのガイド孔の前端部に屈曲部を形成すれば、ガイド孔に沿って転動するロックバーのローラは、防水扉が起立状態になるとともにガイド孔の前端部に前進し、屈曲部を介してロックバーを前方に斜め上向きにガイドすることができる。そこで、ロックバーは、偏心カムによる駆動力を起立状態の防水扉に伝達し、偏心カムによって拘束されることにより、防水扉を起立状態にロックすることができる。なお、偏心カムは、屈曲部に沿ってロックバーを駆動することにより、ローラやガイドレールに不要な力を加えることがなく、ロックバーを介して防水扉を直接ロックすることができる。
【００１２】
手動ハンドルを介して偏心カムを回転駆動するときは、偏心カムは、手動ハンドルを介し、停電時においても確実に手動操作することができる。
【００１３】
手動ハンドルを取外し自在とすれば、手動ハンドルは、偏心カムを操作しないときに取り外して保管することができ、いたずらなどによって防水扉のロックが不用意に解除されるおそれがない。
【００１４】
長さ調節可能なロックバーは、経年変化によってパッキンの弾性に変化が生じた場合などにおいても、全体長さを調節することにより、良好な水密性を容易に再現することができる。
【００１５】
【発明の実施の形態】
以下、図面を以って発明の実施の形態を説明する。
【００１６】
防水扉のロック機構は、ロックバー１１と、ロックバー１１の基部を前後にガイドするガイドレール１２と、ガイドレール１２の前端部に配設する偏心カム１３とを備えてなる（図１、図２）。
【００１７】
防水扉２０は、扉板２１と、扉板２１の表面に付設する化粧材２２、扉板２１の裏面に付設する枠形の補強フレーム２３、２３…とを組み合わせ、長方形の板状に形成されている。防水扉２０は、複数のヒンジ３０、３０…を介し、ケース４０の上面に起倒自在に装着されている。
【００１８】
ケース４０は、上部開放の箱形のベースフレーム４１を通路の床面Ｆに埋設して構成されており、ケース４０の前面側には、パッキン４２ａ付きの扉枠４２、４２が左右に立設されている。ベースフレーム４１の前端には、ブラケット４３ａを介して縁材４３が付設されている。また、ベースフレーム４１の後部には、補強材４１ａが付設され、倒伏時の防水扉２０の先端部分を支持する支持材４１ｂが内向きに取り付けられている。
【００１９】
ケース４０の前面には、パッキン収納レール４１ｃ１  を介してパッキン４１ｃが内向きに突設されている。なお、パッキン４１ｃは、両端を扉枠４２、４２のパッキン４２ａ、４２ａと連続させることにより、上部開放のコ字状に形成されている。
【００２０】
各ヒンジ３０は、防水扉２０側の補強板２４に取り付ける可動ヒンジ３１、３１と、補強板４１ｄを介してケース４０の前部に立設する固定ヒンジ３２と、可動ヒンジ３１、３１、固定ヒンジ３２を相対回転自在に連結するリンク３３、３３とを主要部材としてなる（図２、図３）。なお、可動ヒンジ３１、３１、リンク３３、３３は、それぞれ固定ヒンジ３２の両側に配設されている。
【００２１】
固定ヒンジ３２には、前部から上部後方に斜め上向きに湾曲し、さらに前向きに折り返すフック状のガイド孔３２ａが形成されている。可動ヒンジ３１、３１の先端部は、ローラ３１ｂを有するヒンジピン３１ａを介して連結されており、ローラ３１ｂは、ガイド孔３２ａに沿って転動することができる。また、各リンク３３の両端は、連結ピン３３ａ、３３ｂを介し、それぞれ可動ヒンジ３１の基部、固定ヒンジ３２の前部下方に対して回転自在に連結されている。そこで、防水扉２０は、ヒンジ３０、３０…を介し、床面Ｆと平行な倒伏状態（図１の実線）から、垂直に起立し、パッキン４１ｃ、４２ａ、４２ａを介して扉枠４２、４２に密着する起立状態（同図の二点鎖線）の間を前後に起倒させることができる。
【００２２】
なお、各ヒンジ３０は、防水扉２０の起立動作の開始時において（図３の実線、同図の矢印Ｋ１  方向）、可動ヒンジ３１、３１が防水扉２０とともに連結ピン３３ａを中心として回転し、ヒンジピン３１ａ、ローラ３１ｂがガイド孔３２ａに沿って後方に移動することによりリンク３３、３３が後方に揺動し（同図の矢印Ｋ２  方向、同図の二点鎖線）、可動ヒンジ３１、３１を介して防水扉２０を一時的に後退させることができる。ただし、ガイド孔３２ａは、連結ピン３３ａを中心とするヒンジピン３１ａの旋回軌跡に比し、後方に長く伸びているものとする。また、防水扉２０は、ほぼ垂直にまで起立すると、ヒンジピン３１ａ、ローラ３１ｂがガイド孔３２ａの上部に沿って前進し、リンク３３、３３が前方に揺動することにより、前方に平行移動するようにして扉枠４２、４２に密着させることができる（図１の二点鎖線）。
【００２３】
ケース４０には、ヒンジ３０、３０…の配列方向に複数組のばね５１、５１…が配設されている（図２、図４）。ばね５１、５１…は、ねじりばねであって、各一対ごとに、フランジ５１ａ１  、５１ａ１  付きの固定ドラム５１ａに装着されており、固定ドラム５１ａは、図示しないブラケットを介し、補強板４１ｄ上に設置されている。なお、ばね５１、５１の各外側の一端は、共通の押え材５１ｂを介して補強板４１ｄに固定されている。
【００２４】
ばね５１、５１の各内側の一端は、直角に屈曲されて自由端となり、連結ブラケット５２を介して連結されている。なお、ばね５１、５１の先端には、それぞれピン５１ｃ、５１ｃが付設されており、連結ブラケット５２は、ピン５１ｃ、５１ｃ…を介して抜止めされている。連結ブラケット５２には、脚部５２ａ、５２ａの先端にローラ５３、５３が付設されている。
【００２５】
ローラ５３、５３…は、各一対ごとに、防水扉２０の左右の補強フレーム２３、２３に対応している。そこで、ばね５１、５１…は、ローラ５３、５３…を介し、倒伏状態の防水扉２０を起立方向に付勢することができる（図４の実線）。なお、ばね５１、５１…は、防水扉２０が起立状態に至るまで防水扉２０を付勢し続けることができる（同図の二点鎖線）。
【００２６】
ロックバー１１の先端は、ブラケット２５を介して防水扉２０に連結されており（図１、図２）、基部は、ローラ１１ｃ、１１ｃを介してガイドレール１２のガイド孔１２ｃ、１２ｃに係合している。なお、ブラケット２５は、補強板２４を介して防水扉２０の裏面に取り付けられており、ガイドレール１２は、ケース４０の底面に前後方向に固定されている。
【００２７】
ロックバー１１の先端は、連結ピン２５ａを介してブラケット２５に連結されている（図５）。また、ロックバー１１の基部には、円弧状の頂部に平面状の作用面１１ａが形成されており（図６）、固定軸１１ｂ、１１ｂを介して左右一対のローラ１１ｃ、１１ｃが回転自在に装着されている。固定軸１１ｂ、１１ｂは、ロックバー１１の基部の平行平面に突設されており、ローラ１１ｃ、１１ｃは、それぞれカラー１１ｃ１  、止めねじ１１ｃ２  を介して軸１１ｂに抜止めされ、軸１１ｂの大径部分を介して位置決めされている。
【００２８】
ガイドレール１２は、互いに平行なガイド材１２ａ、１２ａを共通のベースフレーム１２ｂ上に立設して構成されている（図１、図５）。ガイド材１２ａ、１２ａには、それぞれロックバー１１のローラ１１ｃが転動するガイド孔１２ｃが前後方向に形成されており、各ガイド孔１２ｃは、前方から後方に緩く下向きに傾斜している。また、各ガイド孔１２ｃの前端部には、前方に斜め上向きに屈曲する屈曲部１２ｃ１  が形成されている。
【００２９】
偏心カム１３は、手動ハンドル１３ｆ付きの軸１３ｄを介し、ガイドレール１２の前端部に回転自在に付設されている。
【００３０】
偏心カム１３は、偏心部材１３ａと、メタルブッシュ１３ｂ１  を介して偏心部材１３ａの外周に相対回転自在に装着する外輪１３ｂとを備えて構成されている（図５、図７）。ただし、図７（Ｂ）は、同図（Ａ）のＺ−Ｚ線矢視相当断面図である。外輪１３ｂ、メタルブッシュ１３ｂ１  は、偏心部材１３ａの外フランジ１３ａ１  と、偏心部材１３ａの端面に装着する円板状のキャップ１３ｃとを介して位置決めされ、キャップ１３ｃは、偏心部材１３ａのねじ孔１３ａ２  、１３ａ２  …にねじ込む止めねじ１３ｃ１  、１３ｃ１  …を介してねじ止めされている。
【００３１】
偏心カム１３は、キー１３ｄ１  、カラー１３ｄ２  、１３ｄ２  を介し、ガイドレール１２のガイド材１２ａ、１２ａの間において、軸１３ｄに固定されている。ただし、一方のカラー１３ｄ２  には、キー１３ｄ１  に対応するキー溝１３ｄ３  が形成されている。また、軸１３ｄは、軸受１３ｅ、１３ｅを介してガイド材１２ａ、１２ａに回転自在に支持されており、軸１３ｄの一端は、カラー１３ｄ４  、止めねじ１３ｄ５  を介して抜止めされている。なお、手動ハンドル１３ｆは、軸１３ｄに対し、ボス１３ｆ１  を介して突設されている。
【００３２】
軸１３ｄの前後には、手動ハンドル１３ｆに対応して、ロックナット１３ｇ１  、クッション材１３ｇ２  付きのストッパボルト１３ｇ、１３ｇがベースフレーム１２ｂ上に立設されている（図８）。そこで、ストッパボルト１３ｇ、１３ｇは、手動ハンドル１３ｆの前後の回転位置を規定することができる（同図の実線、二点鎖線）。なお、偏心カム１３は、手動ハンドル１３ｆを後方に回転させることにより、軸１３ｄを介し、全体がガイド孔１２ｃ、１２ｃより下方に退避する退避位置（同図の破線）をとることができ、手動ハンドル１３ｆを前方に回転させることにより、外周がガイド孔１２ｃ、１２ｃに突出するロック位置（同図の二点鎖線）をとることができる。
【００３３】
ロックバー１１は、防水扉２０が倒伏状態にあるとき、ローラ１１ｃ、１１ｃがガイドレール１２のガイド孔１２ｃ、１２ｃの後端部に位置している（図１）。なお、このときの偏心カム１３は、手動ハンドル１３ｆを介して退避位置に待機させるものとする。そこで、図示しない駆動機構を介して、または手動操作により防水扉２０を起立させると、ロックバー１１は、先端部が防水扉２０の起立動作に従って上昇し、基部のローラ１１ｃ、１１ｃは、ガイドレール１２のガイド孔１２ｃ、１２ｃに沿って前進する（図９（Ａ）の矢印Ｋ３  方向、同図の実線）。
【００３４】
また、防水扉２０が起立状態にまで起立すると（図２の二点鎖線）、ロックバー１１のローラ１１ｃ、１１ｃは、ガイド孔１２ｃ、１２ｃの前端部にまで前進する（図９（Ａ）の二点鎖線）。そこで、手動ハンドル１３ｆを介して偏心カム１３をロック位置に回転させると、偏心カム１３は、ロックバー１１の作用面１１ａに摺接することにより、ロックバー１１を屈曲部１２ｃ１  、１２ｃ１  に沿って駆動し（図９（Ｂ）の矢印Ｋ４  方向）、屈曲部１２ｃ１  、１２ｃ１  、ローラ１１ｃ、１１ｃを介してロックバー１１を拘束することができる。すなわち、このときの偏心カム１３、ロックバー１１は、起立状態の防水扉２０をさらに扉枠４２、４２に押し付けるように作用し、パッキン４１ｃ、４２ａ、４２ａを介して防水扉２０を扉枠４２、４２に一層強力に密着させるとともに、防水扉２０を起立状態にロックすることができる。
【００３５】
また、偏心カム１３は、それを退避位置に戻すことにより、ロックバー１１の拘束を解き、防水扉２０のロックを解放することができる。そこで、起立状態の防水扉２０は、図示しない駆動機構を介して、または手動操作によって倒伏させることができ、このときのロックバー１１は、ガイド孔１２ｃ、１２ｃを介して基部のローラ１１ｃ、１１ｃが後方にガイドされ、防水扉２０を元の倒伏状態に滑らかに復帰させることができる。
【００３６】
【他の実施の形態】
手動ハンドル１３ｆは、軸１３ｄの一端に付設するソケット１３ｈを介し、取外し自在にすることができる（図１０）。ソケット１３ｈには、ストッパピン１３ｈ１  が突設されており、ストッパボルト１３ｇ、１３ｇは、ストッパピン１３ｈ１  に対応して配設されている。また、ソケット１３ｈの端面には、角穴１３ｈ２  が形成され、手動ハンドル１３ｆには、角穴１３ｈ２  に適合する角柱状の突部１３ｆ２  が形成されている。そこで、手動ハンドル１３ｆは、突部１３ｆ２  を角穴１３ｈ２  に挿入することにより、偏心カム１３の軸１３ｄに対し、取外し自在に連結することができる。
【００３７】
ロックバー１１は、長さ調節可能にしてもよい（図１１）。ロックバー１１は、ねじ部１１ｄ１  を有する棒材１１ｄ、１１ｄに区分し、共通の連結ナット１１ｅを介して連結されている。ただし、ねじ部１１ｄ１  、１１ｄ１  は、互いに逆ねじに形成されている。ロックバー１１は、連結ナット１１ｅを正逆に回転させることにより、全体長さを任意に調節することができる。
【００３８】
以上の説明において、ばね５１、５１…は、倒伏状態の防水扉２０を起立方向に付勢する必要がないときは、これを削除してもよい。また、ヒンジ３０、３０…は、その形式や配置個数を任意に定めることができる。なお、ヒンジ３０は、ヒンジピン３１ａを介して防水扉２０側の可動ヒンジ３１、ケース４０側の固定ヒンジ３２を相対回転自在に連結し、ガイド孔３２ａやリンク３３、３３を有しない一般的な形式としてもよい。
【００３９】
【発明の効果】
以上説明したように、この発明によれば、防水扉に先端を連結するロックバーと、ロックバーの基部を前後にガイドするガイドレールと、ロックバーを介して防水扉を起立状態にロックする偏心カムとを組み合わせることによって、偏心カムは、起立状態の防水扉を扉枠に強力に密着させてロックすることができるから、操作性がよく、極めて良好な水密性を容易に実現して、それを維持することができるという優れた効果がある。
【図面の簡単な説明】
【図１】全体構成説明図
【図２】全体構成平面図
【図３】動作説明図（１）
【図４】図２のＹ−Ｙ線矢視相当断面説明図
【図５】要部拡大斜視図
【図６】図５の要部拡大分解斜視図
【図７】図５の要部構成図
【図８】図５の要部拡大側面図
【図９】動作説明図（２）
【図１０】他の実施の形態を示す要部拡大斜視図
【図１１】他の実施の形態を示す要部構成図
【符号の説明】
１１…ロックバー
１１ｃ…ローラ
１２…ガイドレール
１２ｃ…ガイド孔
１２ｃ１  …屈曲部
１３…偏心カム
１３ｆ…手動ハンドル
２０…防水扉
３０…ヒンジ
【図１】
0003593604.tif 000002
【図２】
0003593604.tif 000003
【図３】
0003593604.tif 000004
【図４】
0003593604.tif 000005
【図５】
0003593604.tif 000006
【図６】
0003593604.tif 000007
【図７】
0003593604.tif 000008
【図８】
0003593604.tif 000009
【図９】
0003593604.tif 000010
【図１０】
0003593604.tif 000011
【図１１】
0003593604.tif 000012